(57)【要約】【課題】  空冷ファンに交流モータを使用する場合であっても電源周波数による冷却能力の差を生じることなく有効なコストダウンを実現する【解決手段】  ファンモータ２として交流モータ２ｓを使用するとともに、この交流モータ２ｓに供給する交流電源４の電源周波数ｆｓを判別する電源周波数判別手段Ｍ１と、交流モータ２ｓの所定の回転速度Ｒｖ…に要する供給電力を決定するデータ（Ｔｃ…）を電源周波数ｆｓ毎に設定する供給電力設定手段Ｍ２と、所定の回転速度Ｒｖ…が指定されたなら電源周波数判別手段Ｍ１により判別された電源周波数ｆｓに対応して供給電力設定手段Ｍ２に設定されたデータ（Ｔｃ…）に対応する供給電力を交流モータ２ｓに付与する供給電力制御手段Ｍ３を備える。【選択図】  図１
2007212107.tif 000002
【特許請求の範囲】
【請求項１】
ファンモータにより駆動する空冷ファンを有する冷却装置において、前記ファンモータとして交流モータを使用するとともに、この交流モータに供給する交流電源の電源周波数を判別する電源周波数判別手段と、前記交流モータの所定の回転速度に要する供給電力を決定するデータを電源周波数毎に設定する供給電力設定手段と、所定の回転速度が指定されたなら前記電源周波数判別手段により判別された電源周波数に対応して前記供給電力設定手段に設定されたデータに対応する供給電力を前記交流モータに付与する供給電力制御手段を備えることを特徴とする冷却装置。
【請求項２】
前記空冷ファンは、冷凍サイクルにおける凝縮器の冷却に用いる凝縮ファンであることを特徴とする請求項１記載の冷却装置。
【請求項３】
前記電源周波数判別手段は、供給される交流電源電圧における設定した電圧レベル（０を含む）のタイミングを検出してレベル検出信号を出力する電圧レベル検出手段と、前記レベル検出信号の信号間隔を検出して電源周波数を判別する信号間隔判別手段を備えることを特徴とする請求項１記載の冷却装置。
【請求項４】
前記供給電力設定手段は、供給電力を決定するデータとして当該供給電力の交流波形に対するＯＦＦ制御時間を、各電源周波数に対応し、かつ複数の異なる回転速度毎に設定したデータベースを備えることを特徴とする請求項１記載の冷却装置。
【請求項５】
前記供給電力制御手段は、前記電源周波数判別手段により判別された電源周波数及び指定された回転速度に基づいて供給電力設定手段からＯＦＦ制御時間を選択し、選択したＯＦＦ制御時間だけ交流波形をＯＦＦに制御する機能を備えることを特徴とする請求項４記載の冷却装置。
【発明の詳細な説明】
【技術分野】
【０００１】
本発明は、ファンモータにより駆動する空冷ファンを有する冷却装置に関する。
【背景技術】
【０００２】
一般に、レーザ加工機では、ワークの材質，板厚，加工速度及び加工面粗度等によってレーザ側の負荷が大きく変動する。したがって、レーザ加工機に冷却液を供給（循環）する冷却装置では、このような負荷変動に対しても十分に追従できる冷却性能が要求されるとともに、特に、加工精度に大きく影響するミラー等の光学部品に対する熱的安定性を確保し、加工品質の低下を回避する上からも、温度変動の少ない高度で精密な冷却精度が要求される。
【０００３】
従来、このような用途に対する冷却装置としては、特開２００１−７４３１８号公報で開示される冷却装置が知られている。この冷却装置は、冷凍ユニット，冷却水供給部及び制御系を備えるとともに、冷凍ユニットは、コンプレッサ，凝縮器，電子膨張弁，熱交換器，アキュムレータを備えることにより、冷媒が循環する冷凍サイクルを構成し、コンプレッサの回転周波数をインバータにより一定の範囲で可変することにより冷却水の温度を制御する。また、凝縮器には、この凝縮器を空冷する送風機を付設するとともに、この送風機はインバータに接続し、凝縮器の吐出側の冷媒圧力が高くなれば、送風機の回転周波数を上昇させ、冷媒圧力が低くなれば、送風機の回転周波数を下降させるインバータ制御を行う。
【特許文献１】特開２００１−７４３１８号
【発明の開示】
【発明が解決しようとする課題】
【０００４】
しかし、上述した従来の冷却装置は、凝縮器を空冷する送風機に、直流モータ及びこの直流モータを制御するインバータを必要としたため、大幅なコストアップを招くという解決すべき課題が存在した。
【０００５】
即ち、送風機の回転周波数は、凝縮器の吐出側の冷媒圧力に対応して可変制御するため、インバータ制御可能なファンモータが必要となる。この場合、商用交流電源により駆動可能なコスト面で有利となる交流モータは、使用する地域の電源周波数（５０Ｈｚ／６０Ｈｚ）により回転速度が異なり、この結果、冷却能力に差を生じるため、温度変動の少ない高度で精密な冷却精度が要求されるこの種の冷却装置にとって電源周波数の差は無視できない。したがって、電源周波数により冷却能力に差を生じない直流モータ及びインバータが必要となるが、直流モータ及びインバータは共に高価なユニット部品となるため、有効なコストダウンを実現するにも限界があった。
【０００６】
本発明は、このような背景技術に存在する課題を解決した冷却装置の提供を目的とするものである。
【課題を解決するための手段】
【０００７】
本発明は、上述した課題を解決するため、ファンモータ２により駆動する空冷ファン３を有する冷却装置１を構成するに際して、ファンモータ２として交流モータ２ｓを使用するとともに、この交流モータ２ｓに供給する交流電源４の電源周波数ｆｓを判別する電源周波数判別手段Ｍ１と、交流モータ２ｓの所定の回転速度Ｒｖ…に要する供給電力を決定するデータ（Ｔｃ…）を電源周波数ｆｓ毎に設定する供給電力設定手段Ｍ２と、所定の回転速度Ｒｖ…が指定されたなら電源周波数判別手段Ｍ１により判別された電源周波数ｆｓに対応して供給電力設定手段Ｍ２に設定されたデータ（Ｔｃ…）に対応する供給電力を交流モータ２ｓに付与する供給電力制御手段Ｍ３を備えることを特徴とする。
【０００８】
この場合、発明の好適な態様により、空冷ファン３は、冷凍サイクルＣにおける凝縮器５の冷却に用いる凝縮ファン３ｃに適用することが望ましい。一方、電源周波数判別手段Ｍ１は、供給される交流電源電圧Ｖｉにおける設定した電圧レベル（０を含む）のタイミングを検出してレベル検出信号Ｓｔ…を出力する電圧レベル検出手段Ｍ１１と、レベル検出信号Ｓｔ…の信号間隔Ｔｓを検出して電源周波数ｆｓを判別する信号間隔判別手段Ｍ１２を備えて構成できる。また、供給電力設定手段Ｍ２は、供給電力を決定するデータとして当該供給電力の交流波形Ｖｗに対するＯＦＦ制御時間Ｔｃ…を、各電源周波数ｆｓに対応し、かつ複数の異なる回転速度Ｒｖ…毎に設定したデータベースＤを備えて構成できる。さらに、供給電力制御手段Ｍ３は、電源周波数判別手段Ｍ１により判別された電源周波数ｆｓ及び指定された回転速度Ｒｖに基づいて供給電力設定手段Ｍ２からＯＦＦ制御時間Ｔｃを選択し、選択したＯＦＦ制御時間Ｔｃだけ交流波形ＶｗをＯＦＦに制御する機能を設けることができる。
【発明の効果】
【０００９】
このような構成を有する本発明に係る冷却装置１によれば、次のような顕著な効果を奏する。
【００１０】
（１）  空冷ファン３に交流モータ２ｓを使用する場合であっても、交流電源４の電源周波数ｆｓに左右されることなく所定の回転速度Ｒｖ…により回転させることができるため、高価なユニット部品である直流モータやインバータを不要にできる。したがって、コスト面で有利な交流モータ及び簡易な制御手段により構成可能となり、電源周波数ｆｓによる冷却能力の差を生じることなく有効なコストダウンを実現できる。
【００１１】
（２）  好適な態様により、冷凍サイクルＣにおける凝縮器５の冷却に用いる凝縮ファン３ｃに適用すれば、凝縮器５の周辺廻りにおけるコストダウン及び望ましい空冷制御の双方を実現できる。
【００１２】
（３）  好適な態様により、電源周波数判別手段Ｍ１を、供給される交流電源電圧Ｖｉにおける設定した電圧レベル（０を含む）のタイミングを検出してレベル検出信号Ｓｔ…を出力する電圧レベル検出手段Ｍ１１と、レベル検出信号Ｓｔ…の信号間隔Ｔｓを検出して電源周波数ｆｓを判別する信号間隔判別手段Ｍ１２を備えて構成すれば、電源周波数ｆｓの判別を容易かつ確実に行うことができる。
【００１３】
（４）  好適な態様により、供給電力設定手段Ｍ２を、供給電力を決定するデータとして当該供給電力の交流波形Ｖｗに対するＯＦＦ制御時間Ｔｃ…を、各電源周波数ｆｓに対応し、かつ複数の異なる回転速度Ｒｖ…毎に設定したデータベースＤを備えて構成すれば、比較的簡易な制御系を構成することができ、更なるコストダウンに寄与できる。
【００１４】
（５）  好適な態様により、供給電力制御手段Ｍ３に、電源周波数判別手段Ｍ１により判別された電源周波数ｆｓ及び指定された回転速度Ｒｖに基づいて供給電力設定手段Ｍ２からＯＦＦ制御時間Ｔｃを選択し、選択したＯＦＦ制御時間Ｔｃだけ交流波形ＶｗをＯＦＦに制御する機能を設ければ、各電源周波数ｆｓにおける指定された回転速度Ｒｖ…を容易かつ確実に得ることができる。
【発明を実施するための最良の形態】
【００１５】
次に、本発明に係る最良の実施形態を挙げ、図面に基づき詳細に説明する。
【００１６】
まず、本実施形態に係る冷却装置１の構成について、図１，図３及び図４を参照して具体的に説明する。
【００１７】
図３中、１は本実施形態に係る冷却装置の全体構成を示す。冷却装置１は、冷却液Ｌを貯留する冷却液タンク１１を備える。冷却液タンク１１は、冷却液供給ライン１２ｓ及び冷却液戻りライン１２ｒを介してレーザ加工機等の被冷却物Ｈに接続することができる。また、冷却液供給ライン１２ｓの中途には、冷却液タンク１１に貯留する冷却液Ｌを被冷却物Ｈに供給するための送液ポンプ１３及びこの送液ポンプ１３により供給される冷却液Ｌを冷却する冷却器（熱交換器）１４を接続する。さらに、冷却液供給ライン１２ｓには、冷却液Ｌの圧力を検出する液圧計１５及び冷却液Ｌの温度を検出する液温センサ１６を付設するとともに、冷却液タンク１１には、給液ライン１７ｓ，ドレンライン１７ｄ，液面計１８及びボールタップ１９等をそれぞれ付設する。
【００１８】
一方、冷却器１４には、冷却液供給ライン１２ｓを流れる冷却液Ｌを熱交換により冷却する冷凍サイクルＣを接続する。冷凍サイクルＣは、主要機能部として、コンプレッサ２０，凝縮器５，冷媒ストレーナ２２，電子膨張弁２３等を備えており、冷却器１４の冷媒流入側には、電子膨張弁２３の冷媒流出側を接続するとともに、冷却器１４の冷媒流出側には、コンプレッサ２０の冷媒流入側を接続する。これにより、矢印Ｆｃ方向に冷媒が循環する冷媒回路２４が構成される。なお、２７は、コンプレッサ２０の冷媒流出側と電子膨張弁２３の冷媒流出側間に接続したバイパス回路であり、このバイパス回路２７は、キャピラリチューブ２５及び電磁弁２６の直列回路により構成する。このような冷凍サイクルＣの基本的な機能は公知の冷凍サイクルと同じとなる。
【００１９】
また、冷凍サイクルＣにおける冷媒回路２４には、低圧圧力スイッチ３１，吸入温度センサ３２，凝縮温度センサ３３，周囲温度センサ３４，高圧圧力スイッチ３５，冷却器入口温度センサ３６をそれぞれ付設する。この場合、圧力スイッチ３１，３５は、主に保護スイッチとして機能する。さらに、凝縮器５には、この凝縮器５を冷却する凝縮ファン３ｃ（空冷ファン３）であり、ファンモータ２により駆動される。一方、コンプレッサ２０の駆動には、直流モータ２０ｍを使用し、この直流モータ２０ｍは、インバータ３９に接続する。そして、各センサ３２…，ファンモータ２及びインバータ３９、更には、電子膨張弁２３及び電磁弁２５は、それぞれコントローラ４０に接続する。コントローラ４０は、制御系Ｋの主要部を構成し、冷凍サイクルＣを含む冷却装置１の全体の制御を司る機能を有する。
【００２０】
図４は、本実施形態に係る冷却装置１の要部構成を示す。図４において、コントローラ４０は、マイコン（マイクロコンピュータ）を使用したコントローラ本体４１を備えるとともに、このコントローラ本体４１に接続した操作パネル等を用いた操作部４２及び液晶表示パネル等を用いた表示部４３備える。したがって、コントローラ本体４１は、ＣＰＵ４４及びメモリ４５等を内蔵したコンピュータ機能を有し、予め格納した制御プログラムにより各種処理機能及び制御機能（シーケンス制御）を実行するとともに、通信機能等の必要に応じた各種機能を備えている。
【００２１】
また、コントローラ本体４１には、三相交流電源（商用電源）４が入力する。この場合、一相分を単相２００ボルトとして使用する。２ｓは上述したファンモータ２として使用する単相の交流モータであり、一方の接続端子４６ｐは、三相交流電源４の第一ラインに接続するとともに、他方の接続端子４６ｑは、ＳＳＲ（ソリッドステートリレー）４７を介してコントローラ本体４１の出力部に接続する。これにより、ＳＳＲ４７はコントローラ本体４１の内部で三相交流電源４の第二ラインに接続される。なお、４８は運転コンデンサを示す。
【００２２】
図１は、図３の要部構成を機能ブロック図により示したものであり、交流モータ２ｓに供給する三相交流電源４の電源周波数ｆｓを判別する電源周波数判別手段Ｍ１と、交流モータ２ｓの所定の回転速度Ｒｖ…に要する供給電力を決定するデータ（Ｔｃ…）を電源周波数ｆｓ毎に設定する供給電力設定手段Ｍ２と、所定の回転速度Ｒｖ…が指定されたなら電源周波数判別手段Ｍ１により判別された電源周波数ｆｓに対応して供給電力設定手段Ｍ２に設定されたデータ（Ｔｃ…）に対応する供給電力を交流モータ２ｓに付与する供給電力制御手段Ｍ３を備える。
【００２３】
この場合、電源周波数判別手段Ｍ１は、電圧レベル検出手段Ｍ１１と信号間隔判別手段Ｍ１２を備える。電圧レベル検出手段Ｍ１１は、供給される交流電源電圧Ｖｉにおける設定した電圧レベル（０を含む）、即ち、０レベルとなるゼロクロス点のタイミングを検出してレベル検出信号Ｓｔ…を出力するゼロクロス検出機能部５１を有する。また、信号間隔判別手段Ｍ１２は、ゼロクロス検出機能部５１から得るレベル検出信号Ｓｔ…の信号間隔Ｔｓを時間により検出するゼロクロス間隔検出機能部５２と、ゼロクロス間隔検出機能部５２により検出した信号間隔（周期）Ｔｓに基づいて電源周波数ｆｓを判別、即ち、電源周波数ｆｓが５０Ｈｚであるか６０Ｈｚであるかを判別する周波数判別機能部５３を有する。このような電源周波数判別手段Ｍ１を構成することにより、電源周波数ｆｓの判別を容易かつ確実に行うことができる。
【００２４】
供給電力設定手段Ｍ２は、供給電力を決定するデータとして当該供給電力の交流波形Ｖｗに対するＯＦＦ制御時間Ｔｃ…を、各電源周波数ｆｓに対応し、かつ複数の異なる回転速度Ｒｖ…毎に設定したデータベースＤを備える。図５はデータベースＤの内容を示している。図５に示すように、Ｎｏ．１〜Ｎｏ．１３までの１３ステップが設定され、Ｎｏ．１には、最も回転速度Ｒｖが遅いデータを、また、Ｎｏ．１３には、最も回転速度Ｒｖが速いデータ、即ち、フル回転するデータが設定される。図５は、一部のステップのみを抜粋して示したものであるが、因に、Ｎｏ．１は、回転速度Ｒｖが、２９４ｒｐｍの場合であり、電源周波数ｆｓが５０Ｈｚでは、ＯＦＦ制御時間Ｔｃが、７．２９ｍｓに設定され、６０Ｈｚでは、ＯＦＦ制御時間Ｔｃが、５．８８ｍｓに設定される。同様に、Ｎｏ．１０は、回転速度Ｒｖが、７３５ｒｐｍの場合であり、電源周波数ｆｓが５０Ｈｚでは、ＯＦＦ制御時間Ｔｃが、５．７９ｍｓに設定され、６０Ｈｚでは、ＯＦＦ制御時間Ｔｃが、４．４４ｍｓに設定される。このような供給電力設定手段Ｍ２を構成することにより、比較的簡易な制御系を構成することができるため、更なるコストダウンに寄与できる。
【００２５】
供給電力制御手段Ｍ３は、電源周波数判別手段Ｍ１により判別された電源周波数ｆｓ及び指定された回転速度Ｒｖに基づいてＯＦＦ制御時間ＴｃをデータベースＤから読出（選択）し、読出したＯＦＦ制御時間Ｔｃとゼロクロス検出機能部５１から得るレベル検出信号Ｓｔからドライブ信号Ｓｄを生成するドライブ信号生成機能部５４を有するとともに、ドライブ信号生成機能部５４から得るドライブ信号Ｓｄに基づいてＳＳＲ４７を制御するドライバ５５を有する。これにより、ＯＦＦ制御時間Ｔｃだけ交流波形ＶｗをＯＦＦにする制御を行う。なお、制御時には、凝縮器５の吐出側の冷媒圧力に係わる情報がコントローラ４０に付与され、この冷媒圧力に係わる情報に対応した回転速度Ｒｖが指定される。このような供給電力制御手段Ｍ３を構成することにより、各電源周波数ｆｓにおける指定された回転速度Ｒｖを容易かつ確実に得ることができる。
【００２６】
次に、本実施形態に係る冷却装置１の動作（機能）について、図１〜図５を参照して説明する。
【００２７】
まず、送液ポンプ１３を作動させることにより、冷却液タンク１１に貯留する冷却液Ｌは、冷却液供給ライン１２ｓを介して被冷却物Ｈに供給されるとともに、被冷却物Ｈを熱交換により冷却した冷却液Ｌは、冷却液戻りライン１２ｒを介して冷却液タンク１１に戻される。この際、冷却液供給ライン１２ｓを流れる冷却液Ｌは、冷却器１４により冷却される。即ち、冷却器１４に流入した冷却液Ｌは、冷凍サイクルＣにおける冷却された冷媒との熱交換により冷却される。なお、図３中、矢印Ｆｗ…は冷却液Ｌが流れる方向を示している。
【００２８】
一方、冷凍サイクルＣでは、コンプレッサ２０の運転により冷媒が冷媒回路２４を矢印Ｆｃ方向に循環し、冷凍サイクルＣによる冷媒冷却が行われる。また、被冷却物Ｈに供給される冷却液Ｌの温度（液温）は、液温センサ１６により検出され、コントローラ４０に付与される。これにより、コントローラ４０はインバータ３９に制御指令を付与し、直流モータ２０ｍの回転数を制御することにより、液温が設定温度となるようにフィートバック制御する。
【００２９】
他方、凝縮器５に付設する凝縮ファン３ｃの回転速度Ｒｖは、凝縮器５の吐出側の冷媒圧力に基づいて制御される。この場合、コントローラ４０は、凝縮器５の吐出側の冷媒圧力が高くなれば、凝縮ファン３ｃの回転速度Ｒｖを速くし、冷媒圧力が低くなれば、凝縮ファン３ｃの回転速度Ｒｖを遅くするフィードバック制御を行う。なお、凝縮器５の吐出側の冷媒圧力は、圧力センサにより直接検出してもよいし、冷媒圧力に比例する物理量、例えば、凝縮温度センサ３３の検出温度や周囲温度センサ３４の検出温度と凝縮温度センサ３３の検出温度の差などから間接的に検出してもよく、検出した冷媒圧力の情報は、コントローラ４０に付与されることにより、凝縮ファン３ｃの回転速度Ｒｖの制御が行われる。この制御は、本実施形態に係る冷却装置１の要部動作となり、以下、具体的に説明する。
【００３０】
まず、コントローラ４０への電源供給時には、電源供給と同時に電源周波数ｆｓの判別が行われる。この場合、図１に示すゼロクロス検出機能部５１に、図２（ａ）に示す三相交流電源４３の一相分の交流電源電圧Ｖｉが付与される。ゼロクロス検出機能部５１は、交流電圧Ｖａｉのゼロクロス点（０レベルになる点）を検出し、検出したタイミングにより図２（ｂ）に示すレベル検出信号Ｓｔ…を出力する。また、ゼロクロス間隔検出機能部５２は、ゼロクロス検出機能部５１から得るレベル検出信号Ｓｔ…の信号間隔Ｔｓを時間により検出し、周波数判別機能部５３に付与する。周波数判別機能部５３は、ゼロクロス間隔検出機能部５２により検出した信号間隔（周期）Ｔｓから電源周波数ｆｓが５０Ｈｚであるか６０Ｈｚであるかを判別する。この場合、電源周波数ｆｓが６０Ｈｚであれば、１周期は１６．６ｍｓとなり、８．３ｍｓ毎にレベル検出信号Ｓｔ…が発生するとともに、電源周波数ｆｓが５０Ｈｚであれば、１周期は２０ｍｓとなり、１０ｍｓ毎にレベル検出信号Ｓｔ…が発生する。したがって、信号間隔Ｔｓを検出することにより電源周波数ｆｓを容易かつ確実に判別することができる。なお、この判別処理は、コントローラ４０に対する電源供給時に行われ、判別処理が終了したなら次回の電源供給時まで判別結果が固定される。
【００３１】
一方、上述したように、凝縮器５の吐出側の冷媒圧力に係わる情報がコントローラ４０に付与されるため、運転の開始により、この冷媒圧力に係わる情報に対応した回転速度Ｒｖが指定され、指定された回転速度Ｒｖとなるように凝縮ファン３ｃが制御される。この場合、供給電力制御手段Ｍ３により、周波数判別機能部５３の判別結果（電源周波数ｆｓ）と指定された回転速度Ｒｖに基づいてＯＦＦ制御時間ＴｃがデータベースＤから読出（選択）され、ドライブ信号生成機能部５４に付与される。ドライブ信号生成機能部５４では、ゼロクロス検出機能部５１から付与されるレベル検出信号Ｓｔに基づき、図２（ｃ）に示すように、レベル検出信号（パルス信号）Ｓｔの立上エッジのタイミングでＯＦＦし、この時点からＯＦＦ制御時間Ｔｃが経過したタイミングでＯＮするドライブ信号Ｓｄ（パルス信号）が生成される。そして、ドライブ信号生成機能部５４から得るドライブ信号Ｓｄは、ドライバ５５に付与され、このドライバ５５によりＳＳＲ４７が制御される。即ち、図２（ｄ）に示すように、ゼロクロス点からＯＦＦ制御時間Ｔｃの時間だけ交流波形ＶｗがＯＦＦとなり、無電力期間が設定される。
【００３２】
例えば、Ｎｏ．１１の回転速度Ｒｖが指定された場合、電源周波数ｆｓが５０Ｈｚであれば、ＯＦＦ制御時間Ｔｃが５．２２ｍｓとなり、電源周波数ｆｓが６０Ｈｚであれば、ＯＦＦ制御時間Ｔｃが３．７５ｍｓとなる。このようにＯＦＦ制御時間Ｔｃが５０Ｈｚと６０Ｈｚとで別々に異なる値として設定されることにより電源周波数ｆｓが異なっても供給電力が同一となり、同一の回転速度Ｒｖ（９８５ｒｐｍ）が得られる。なお、凝縮ファン３ｃは、運転開始時（起動時）には、Ｎｏ．１３が選択され、一定時間フル回転した後、指定された回転速度Ｒｖ…による制御運転に移行する。
【００３３】
このように、本実施形態に係る冷却装置１によれば、空冷ファン３に交流モータ２ｓを使用する場合であっても、交流電源４の電源周波数ｆｓに左右されることなく所定の回転速度Ｒｖ…により回転させることができるため、高価なユニット部品である直流モータやインバータを不要にできる。したがって、コスト面で有利な交流モータ及び簡易な制御手段により構成可能となり、電源周波数ｆｓによる冷却能力の差を生じることなく有効なコストダウンを実現できる。特に、冷凍サイクルＣにおける凝縮器５の冷却に用いる凝縮ファン３ｃに適用したため、凝縮器５の周辺廻りにおけるコストダウン及び望ましい空冷制御の双方を実現できる。
【００３４】
以上、最良の実施形態について詳細に説明したが、本発明は、このような実施形態に限定されるものではなく、細部の構成，形状，数量等において、本発明の要旨を逸脱しない範囲で、任意に変更，追加，削除することができる。例えば、空冷ファン３は、冷凍サイクルＣにおける凝縮器５の冷却に用いる凝縮ファン３ｃに適用した場合を示したが、他の用途における各種空冷ファン３に適用できる。また、交流電源電圧Ｖｉにおけるゼロクロス点を検出してレベル検出信号Ｓｔ…を出力する場合を示したが、交流電源電圧Ｖｉにおける任意の設定した電圧レベルのタイミングを検出する場合を排除するものではない。さらに、供給電力設定手段Ｍ２は、供給電力を決定するデータとして当該供給電力の交流波形Ｖｗに対するＯＦＦ制御時間Ｔｃ…を、各電源周波数ｆｓに対応し、かつ複数の異なる回転速度Ｒｖ…毎に設定したデータベースＤを用いる場合を示したが、演算式により求めたり、ＯＦＦ制御時間Ｔｃを連続して可変する場合を排除するものではない。なお、冷却装置１として図３に示すタイプを例示したが、本発明は、例示以外の各種タイプの冷却装置に適用できる。
【図面の簡単な説明】
【００３５】
【図１】本発明の最良の実施形態に係る冷却装置における要部構成を示す機能ブロック図、
【図２】同冷却装置の要部の動作を説明するための信号のタイミングチャート、
【図３】同冷却装置の全体構成図、
【図４】同冷却装置の要部構成図、
【図５】同冷却装置に備えるデータベースの説明図、
【符号の説明】
【００３６】
１：冷却装置，２：ファンモータ，２ｓ：交流モータ，３：空冷ファン，３ｃ：凝縮ファン，４：交流電源，５：凝縮器，Ｃ：冷凍サイクル，Ｄ：データベース，Ｒｖ：回転速度，ｆｓ：電源周波数，Ｍ１：電源周波数判別手段，Ｍ２：供給電力設定手段，Ｍ３供給電力制御手段，Ｍ１１：電圧レベル検出手段，Ｍ１２：信号間隔判別手段，Ｖｉ：交流電源電圧，Ｖｗ：交流波形，Ｓｔ：レベル検出信号，Ｔｓ：信号間隔，Ｔｃ：ＯＦＦ制御時間
【図１】
2007212107.tif 000003
【図２】
2007212107.tif 000004
【図３】
2007212107.tif 000005
【図４】
2007212107.tif 000006
【図５】
2007212107.tif 000007